(57)【要約】【課題】通常の円板状体の送出作動を阻害することなく不正行為による円板状体の払い出しを確実に阻止する。【解決手段】基台２に、円板状体１を回転移送経路に沿って移送する回転移送体８と、この回転移送体８で移送されてきた円板状体１を回転移送経路の設定送出部位において回転半径方向外方側に形成された送出口部Ａに向かって送り出す送出手段Ｂと、送出口部Ａでの円板状体１との当接に伴って変位する通過感知体を備えた通過センサＣが設けられているとともに、通過感知体の通過感知作動に連動して送出口部Ａで後続の円板状体１の通過を接当阻止する通過阻止状態に、且つ、通過感知体２７の通過感知位置から待機位置への戻り作動に連動して円板状体１の通過を許容する通過許容状態に切り替えられる通過阻止手段Ｄが設けられている。【選択図】図２
2010020475.tif 000002
【特許請求の範囲】
【請求項１】
基台に、円板状体を回転移送経路に沿って移送する回転移送体と、この回転移送体で移送されてきた円板状体を回転移送経路の設定送出部位において回転半径方向外方側に形成された送出口部に向かって送り出す送出手段と、前記送出口部での円板状体との当接に伴って変位する通過感知体を備えた通過センサが設けられている円板状体繰出装置であって、
前記通過感知体の通過感知作動に連動して前記送出口部で後続の円板状体の通過を接当阻止する通過阻止状態に、且つ、前記通過感知体の通過感知位置から待機位置への戻り作動に連動して円板状体の通過を許容する通過許容状態に切り替えられる通過阻止手段が設けられている円板状体繰出装置。
【請求項２】
前記通過感知体が通過感知位置で設定時間以上保持されたとき前記回転移送体の回転を阻止する回転阻止手段が設けられている請求項１記載の円板状体繰出装置。
【請求項３】
前記通過阻止手段の通過阻止体が、前記円板状体と接触可能な前記通過感知体の接触部に対して前記送出口部の送出通路を挟んで対向する部位において、前記通過感知体の通過感知作動に連動して先行の円板状体の直径部が通過した時点で前記送出口部の送出通路内に突出移動するように構成されている請求項１又は２記載の円板状体繰出装置。
【請求項４】
前記円板状体に接触可能な前記通過感知体の接触部に対して前記送出口部の送出通路を挟んで対向する部位には、前記回転移送経路の設定送出部位から送り出される円板状体を回転半径方向外方側に移動案内する移動案内面を備えた固定ガイド部が設けられ、この固定ガイド部の移動案内面における突出先端と前記通過感知体の接触部との対向間隔が円板状体の直径よりも小に構成されているとともに、前記通過阻止手段の通過阻止体が、前記固定ガイド部の移動案内面における突出先端よりも回転移送経路側に偏倚した部位において前記送出通路に対して通路幅方向から出入可能に構成されている請求項１、２又は３記載の円板状体繰出装置。
【発明の詳細な説明】
【技術分野】
【０００１】
本発明は、通貨であるコイン或いは遊技設備や地下鉄等で使用される代用貨幣（メダルやトークン等）などの円板状体を一枚ずつ繰り出す繰出装置で、詳しくは、基台に、円板状体を回転移送経路に沿って移送する回転移送体と、この回転移送体で移送されてきた円板状体を回転移送経路の設定送出部位において回転半径方向外方側に形成された送出口部に向かって送り出す送出手段と、前記送出口部に向かって送り出される円板状体との当接に伴って変位する通過感知体を備えた通過センサが設けられている円板状体繰出装置に関する。
【背景技術】
【０００２】
この種の円板状体繰出装置では、払出指令に基づいて円板状体が送出口部に向かって送り出されると、この円板状体との当接に伴って変位する通過感知体によって一枚の円板状体が送り出されたことを通過センサにて検知し、その検知回数が払出指令枚数に達すると、前記回転移送体の駆動回転を停止して円板状体の払い出しを終了する。
【０００３】
この払い出し時に、前記通過センサの通過感知体が何等かの不正手段で通過感知位置に強制的に変位操作され、且つ、その通過感知位置に維持された場合には、通過センサが検知作動途中の信号を出力し続けるため、前記回転移送体が駆動回転し続けて払出指令枚数以上の円板状体が払い出される問題がある。
【０００４】
そこで、従来では、上述の不正行為を阻止する方法として、下記特許文献１に示すように、前記回転移送体の裏面のうち、回転移送経路に沿って所定ピッチで形成された円板状体が入り込み可能な複数の貫通孔よりも回転半径方向内方で、且つ、前記回転移送体の回転軸芯と各貫通孔の回転方向上手（回転後位）の縁とを結ぶ線分上に、下方側に突出する係止部を設けるとともに、前記通過感知体に、該通過感知体が通過感知位置に変位（揺動）したとき、前記係止部の回転経路内に突出して該係止部に回転方向から当接するストッパ面を備えたストッパアームを一体形成したものが提案されている。
【０００５】
【特許文献１】特開２００４−１５７７３４号公報
【発明の開示】
【発明が解決しようとする課題】
【０００６】
従来の円板状体繰出装置では、前記通過センサの通過感知体が何等かの不正手段で通過感知位置に強制的に変位操作され、且つ、その状態が維持されたとき、この通過感知体と一体的に変位するストッパアームのストッパ面が係止部の回転経路内に突出し続けるため、該ストッパアームのストッパ面と係止部との係合によって、回転移送体の駆動回転が停止され、不正行為に起因する円板状体の払い出しが阻止される。
【０００７】
しかしながら、従来の円板状体繰出装置においては、前記通過感知体と一体揺動するストッパアームのストッパ面を係止部の回転経路内に突出させて回転移送体の回転を停止するため、通常の円板状体の送出作動を阻害することなく不正行為を阻止するためには、前記回転移送体の回転軸芯と回転移送体の各貫通孔の回転方向上手（回転後位）の縁とを結ぶ線分上に前記係止部を配設する必要がある。
【０００８】
そのため、不正手段による通過感知体の操作時期によっては、前記係止部が通過した直後にストッパアームのストッパ面が係止部の回転経路内に突出移動することがあり、この場合、後続の係止部がストッパアームのストッパ面に係合することになるため、一枚の円板状体が不正行為で払い出される不都合がある。
【０００９】
また、前記回転移送体の裏面のうち、回転移送経路に沿って所定ピッチで形成された円板状体が入り込み可能な複数の貫通孔よりも回転半径方向内方側の部位に前記係止部が配設されているため、前記ストッパアームを円板状体の回転移送経路の下方を通して回転中心側に揺動作動させる必要があり、その結果、円板状体繰出装置の構造の複雑化・大型化と保守点検作業の煩雑化を招来する不都合がある。
【００１０】
本発明は、上述の実状に鑑みて為されたものであって、その主たる課題は、通常の円板状体の送出作動を阻害することなく不正行為による円板状体の払い出しを確実に阻止することのできる円板状体繰出装置を提供する点にある。
【課題を解決するための手段】
【００１１】
本発明による第１の特徴構成は、基台に、円板状体を回転移送経路に沿って移送する回転移送体と、この回転移送体で移送されてきた円板状体を回転移送経路の設定送出部位において回転半径方向外方側に形成された送出口部に向かって送り出す送出手段と、前記送出口部での円板状体との当接に伴って変位する通過感知体を備えた通過センサが設けられている円板状体繰出装置であって、
前記通過感知体の通過感知作動に連動して前記送出口部で後続の円板状体の通過を接当阻止する通過阻止状態に、且つ、前記通過感知体の通過感知位置から待機位置への戻り作動に連動して円板状体の通過を許容する通過許容状態に切り替えられる通過阻止手段が設けられている点にある。
【００１２】
上記構成によれば、円板状体の払い出し時において、前記通過センサの通過感知体が何等かの不正手段で通過感知位置に強制的に変位操作されたとき、この通過感知体の通過感知作動に連動して前記通過阻止手段が送出口部において後続の円板状体の通過を接当阻止する通過阻止状態に切り替えられるから、正規な先行の円板状体はそのまま送り出しながらも後続の円板状体の送り出しは接当阻止することができる。
【００１３】
しかも、前記回転移送体の回転移送経路における設定送出部位から送出口部に到達するまでの時間を、前記通過阻止手段の通過阻止状態への切り替え作動時間として利用できるので、不正手段による通過感知体の操作時期に拘わらず後続の円板状体の通過をより確実に接当阻止することができる。
【００１４】
従って、前記回転移送経路の設定送出部位の回転半径方向外方側に形成される送出口部を利用した上述の合理的な改造により、通常の円板状体の送出作動を阻害することなく不正行為による円板状体の払い出しを確実に阻止することができる。
【００１５】
本発明による第２の特徴構成は、前記通過感知体が通過感知位置で設定時間以上保持されたとき前記回転移送体の回転を阻止する回転阻止手段が設けられている点にある。
【００１６】
上記構成によれば、円板状体の払い出し時において、前記通過センサの通過感知体が何等かの不正手段で通過感知位置に強制的に変位操作されたとき、この通過感知体の通過感知作動に連動して前記通過阻止手段が送出口部において後続の円板状体の通過を接当阻止する通過阻止状態に切り替えると同時に、前記回転阻止手段によって回転移送体の回転をも阻止するから、前記通過阻止手段によって不正行為による円板状体の払い出し阻止機能の確実化を図りながらも、前記回転阻止手段によって回転移送体の回転を停止することにより、回転移送体の駆動回転によって送り出される円板状体による通過阻止手段での負荷増大を抑制することができる。
【００１７】
本発明による第３の特徴構成は、前記通過阻止手段の通過阻止体が、前記円板状体と接触可能な前記通過感知体の接触部に対して前記送出口部の送出通路を挟んで対向する部位において、前記通過感知体の通過感知作動に連動して先行の円板状体の直径部が通過した時点で前記送出口部の送出通路内に突出移動するように構成されている点にある。
【００１８】
上記構成によれば、前記通過阻止手段の通過阻止体を、先行の円板状体の直径部が通過した最も早い時点で送出口部の送出通路内に突出移動させることができるから、不正行為によって連続して送出されてくる後続の円板状体を確実に接当阻止することができる。しかも、前記通過阻止手段の通過阻止体と前記通過感知体の接触部とを送出口部の送出通路を挟んで対向する部位に分散配置することにより、構造の簡素化と保守点検作業の容易化を図ることができる。
【００１９】
本発明による第４の特徴構成は、前記円板状体に接触可能な前記通過感知体の接触部に対して前記送出口部の送出通路を挟んで対向する部位に、前記回転移送経路の設定送出部位から送り出される円板状体を回転半径方向外方側に移動案内する移動案内面を備えた固定ガイド部が設けられ、この固定ガイド部の移動案内面における突出先端と前記通過感知体の接触部との対向間隔が円板状体の直径よりも小に構成されているとともに、前記通過阻止手段の通過阻止体が、前記固定ガイド部の移動案内面における突出先端よりも回転移送経路側に偏倚した部位において前記送出通路に対して通路幅方向から出入可能に構成されている点にある。
【００２０】
上記構成によれば、前記通過感知体の接触部に対して送出口部の送出通路を挟んで対向する部位に設けられた固定ガイド部の移動案内面により、前記回転移送経路の設定送出部位から送り出される円板状体を送出口部の送出通路にスムーズに移動案内することができるとともに、前記通過阻止手段の通過阻止体を、固定ガイド部の移動案内面の突出先端よりも回転移送経路側に偏倚した部位において送出通路に対して通路幅方向から出入作動させることにより、この通過阻止体を、先行の円板状体の直径部が通過した最も早い時点で送出口部の送出通路内に突出移動させることができるから、不正行為によって連続して送出されてくる後続の円板状体を確実に接当阻止することができる。
【００２１】
また、本発明では、前記通過センサ及び通過阻止手段が、前記基台に対して脱着可能なユニットケースに組み付けられていてもよい。
上記構成によれば、前記基台からユニットケースを取り出すことにより、前記通過センサ及び通過阻止手段に対する保守点検作業を容易に行うことができる。
【発明を実施するための最良の形態】
【００２２】
〔第１実施形態〕
図１〜図３は、通貨であるコイン或いは遊技設備や地下鉄等で使用される代用貨幣（メダルやトークン等）などの円板状体１の繰出装置を示し、上方に開口するホッパーＨの底部を構成する基台２の下面側に、電動モータ３に連動された減速機構４を、それの駆動軸５が基台２の上面に円形に窪み形成された装着凹部６の中心位置において上方に突出する状態で取付けるとともに、前記基台２の装着凹部６には、円板状体１が入り込み可能な複数個の貫通孔７及び前記駆動軸５に対して脱着自在に一体回転状態で嵌合するボス部８Ａを備えた合成樹脂製の回転移送体８を設けてある。
【００２３】
前記回転移送体８の裏面（下面）には、図２〜図７に示すように、前記貫通孔７内に入り込んだ円板状体１の一部を該貫通孔７の回転半径方向中央位置において載置支持する載置面１０ａを備えた円環状の環状受け部材１０が一体形成されているとともに、前記装着凹部６の底面には、それと前記環状受け部材１０の載置面１０ａとが面一となる状態で該環状受け部材１０が入り込む円環状の回転ガイド溝１１が形成され、さらに、前記装着凹部６の底面における前記回転ガイド溝１１の回転方向内方側及び外方側に、前記回転移送体８の環状受け部材１０に載置された円板状体１を回転移送経路に沿って摺動案内する円環状の移送ガイド面６Ａ，６Ｂが形成されている。
【００２４】
前記回転移送体８の裏面で、且つ、前記環状受け部材１０の取付け部位に対応する貫通孔７の周縁における回転方向上手側部位（回転後位）には、前記貫通孔７内に入り込んだ円板状体１を回転移送経路に沿って押圧する押圧突起１２が一体形成されているとともに、前記回転移送体８の貫通孔７内に入り込んで移送されてきた円板状体１を回転移送経路の設定送出部位において回転半径方向外方の送出口部Ａに向かって送り出す送出手段Ｂと、前記送出口部Ａでの円板状体１との当接に伴って変位（揺動）する通過感知体である感知アーム２７を備えた通過センサＣと、該通過センサＣの感知アーム２７の通過感知作動に連動して前記送出口部Ａで後続の円板状体１の通過を接当阻止する通過阻止状態に、且つ、前記感知アーム２７の通過感知位置から待機位置への戻り作動に連動して円板状体１の通過を許容する通過許容状態に切り替えられる通過阻止手段Ｄと、前記感知アーム２７が通過感知位置で設定時間以上保持されたとき前記回転移送体８の回転を阻止する回転阻止手段Ｅが設けられている。
【００２５】
図２に示すように、前記基台２における装着凹部６の外周側で、且つ、前記送出口部Ａの主要部を含む接線方向に沿う領域に、表面側に開口する第２凹部９を窪み形成し、この第２凹部９に対して脱着自在なユニットケースＦに、前記通過センサＣと通過阻止手段Ｄ及び回転阻止手段Ｅが組み付けられている。
【００２６】
前記送出口部Ａは、図２、図４に示すように、前記基台２の上面における装着凹部６の外周側部位に、前記回転移送経路の設定送出部位に対して円板状体１の直径よりも少し大きな通路幅で回転半径方向から連通する送出通路１４を形成し、該送出通路１４の底面を前記装着凹部６の移送ガイド面６Ａ，６Ｂと面一となる同一平面上に形成するとともに、前記送出通路１４の送出口側には、送り出されてくる円板状体１を所定箇所に排出案内するシュート１５を連設して構成されている。
【００２７】
前記送出手段Ｂを構成するに、図２〜図７に示すように、前記装着凹部６の移送ガイド面６Ａ，６Ｂの設定送出部位に、回転移送経路に沿って移送されてくる円板状体１に当接して該円板状体１に送り出すピン状の第１・第２送出突起１６，１７が設けられ、そのうち、回転半径方向外側方の移送ガイド面６Ｂに設けられる第２送出突起１７は、回転半径方向内側方の移送ガイド面６Ａに設けられる第１送出突起１６よりも回転方向下手側部位（回転前位）に配置されているとともに、前記回転移送体８の裏面における外周側で、且つ前記貫通孔７の隣接間相当箇所には、前記円板状体１を回転半径方向外方に送り出す板状の第３送出突起１８が一体形成されている。
【００２８】
前記第３送出突起１８は、それの回転半径方向内方側に対応位置する前記押圧突起１２よりも少し回転方向上手側部位（回転後位）に偏倚した部位に配置されているとともに、それの送出面１８ａが、回転半径方向外方側ほど回転方向上手側部位（回転後位）に位置する傾斜面又は弧状面に形成されている。
【００２９】
図２〜図７に示すように、前記装着凹部６の移送ガイド面６Ａ，６Ｂのうち、回転半径方向外方側に位置する移送ガイド面６Ｂの外周縁側部位には、駆動軸５の回転軸芯を半径中心とする円形状の環状溝１９が形成されているとともに、前記第３送出突起１８の各々には、前記装着凹部６の移送ガイド面６Ｂに形成された環状溝１９内に沿って入り込み状態で移動する仕切り部２０が、それの外面２０ａが回転移送体８の外周面８ａと面一状態で一体形成され、さらに、前記回転移送体８の裏面を基準とする前記仕切り部２０の突出代が、第３送出突起１８の突出代の約２倍に構成されている。
【００３０】
前記基台２の装着凹部６に回転移送体８を装着したとき、前記回転移送体８の外周面８ａ及び仕切り部２０の外面２０ａが、装着凹部６の内周壁面６Ｃに近接する状態で相対回転可能に構成されているとともに、前記仕切り部２０の回転方向下手（回転前位）側の端面２０ｂが、前記第３送出突起１８の送出面１８ａと面一状態で同一の傾斜面又は弧状面に形成されている。
【００３１】
そして、前記回転移送体８の相対回転部である駆動軸５と回転移送体８のボス部８Ａとの対向面間、及び前記回転移送体８の外周面８ａと装着凹部６の内周壁面６Ｃとの対向面間等に存在する融通（隙間）によって基台２や回転移送体８等が振動し、前記回転移送経路の設定送出部位において、前記回転移送体８の第３送出突起１８の裏面（下面）と装着凹部６の回転半径方向外方側の移送ガイド面６Ｂとの対向面に円板状体１が回転方向上手（回転後位）側に通過可能な隙間が発生した場合でも、前記回転移送体８の裏面における外周側で、且つ前記貫通孔７の隣接間相当箇所に設けられた仕切り部２０が、前記装着凹部６の移送ガイド面６Ｂに形成された環状溝１９内に沿って入り込み状態で移動しているため、前記送出手段Ｂによって径方向外方に送出すべき円板状体１が前記隙間を通して後続の貫通孔７側に移動することを阻止することができる。
【００３２】
また、前記仕切り部２０の回転方向下手（回転前位）側の端面２０ｂを前記第３送出突起１８の送出面１８ａと面一に形成して、この第３送出突起１８による送り出し作用位置と仕切り部２０による通過阻止作用位置とを同時に作用させることにより、前記隙間発生時において第３送出突起１８を通過しようとする円板状体１を早い時期、つまり、第３送出突起１８の送出面１８ａを通過する前に阻止することができ、前記貫通孔７の隣接間相当箇所での円板状体１の噛み込みをより確実に抑制することができる。
【００３３】
しかも、前記仕切り部２０の回転方向下手側の端面２０ｂが、円板状体１を回転半径方向外方に送り出すための送出面として機能するので、円板状体１の回転半径方向外方への送出作用の確実化、円滑化を図ることができる。
【００３４】
さらに、前記仕切り部２０の外面２０ａを回転移送体８の外周面８ａと面一又は略面一に形成し、且つ、前記回転移送体８の裏面を基準とする前記仕切り部２０の突出代を第３送出突起１８の突出代よりも大(当該実施形態では約２倍）に形成して、前記装着凹部６の内周壁面６Ｃに対して近接状態で相対回転可能に構成することにより、前記仕切り部２０と前記環状溝１９における装着凹部６の内周壁面６Ｃとの摺接によって回転移送体８の振れを抑制することができる。
【００３５】
次に、前記通過センサＣを構成するに、図２、図８に示すように、ユニットケースＦを構成する合成樹脂製の下部ケース２５とこれに対して脱着可能に外嵌装着される合成樹脂製の上部ケース２６との相対向する部位で、前記送出通路１４の回転方向下手側の側脇部位に形成された軸受部に、一端部が送出通路１４側に突出移動可能な前記感知アーム２７の枢支筒部２７Ａが、駆動軸５の軸芯と平行なピン状の枢支軸２８を介して揺動自在に枢着され、この感知アーム２７の一端部に設けられた駆動軸５の軸芯と平行な取付け軸３５には、上部ケース２６の上壁部２６Ａに形成された感知作動用開口２９を通して上面側に突出し、前記送出手段Ｂによって送出通路１４側に送り出されてくる円板状体１と当接する接触部の一例であるカウンターローラ３０が回動自在に取付けられている。
【００３６】
前記感知アーム２７の他端部には、感知アーム２７の待機位置から通過感知位置への揺動に連れて光センサ部３１の発光部３１Ａと受光部３１Ｂとの対向面間に入り込み移動する遮光体３２が形成されているとともに、前記感知アーム２７の一端部に形成されたバネ受け突起３３と下部ケース２５の回転方向下手側の一端部に連設された取付け片３４のバネ受け突起３４ａとにわたって、前記感知アーム２７を待機位置に復帰付勢するコイルバネ３６を取付けて構成されている。
【００３７】
前記上部ケース２６の上壁部２６Ａの上面で、且つ前記感知アーム２７のカウンターローラ３０に対して前記送出通路１４を挟んで対向する部位には、前記回転移送経路の設定送出部位から送り出される円板状体１を回転半径方向外方側に移動案内する移動案内面４０ａを備えた金属板製の固定ガイド部４０が取付けられ、この固定ガイド部４０の移動案内面４０ａにおける送出通路１４側での突出先端４０ｂと前記感知アーム２７のカウンターローラ３０との対向間隔が円板状体１の直径よりも少し小なる間隔に構成されている。
【００３８】
また、前記上部ケース２６の上壁部２６Ａの上面のうち、前記感知作動用開口２９の形成領域から前記固定ガイド部４０の取付け領域にかけての部位、特に、感知アーム２７の揺動支点部と固定ガイド部４０との間に位置する中間上面部分は、前記装着凹部６の移送ガイド面６Ａ，６Ｂと面一となる状態で前記送出通路１４の一部を構成するとともに、前記上部ケース２６の回転移送経路側の側壁部２６Ｂには、前記装着凹部６の内周壁面６Ｃの一部を構成する弧状壁面２６ｂが形成されている。
【００３９】
前記通過阻止手段Ｄを構成するに、図２、図４〜図６、図８に示すように、前記感知アーム２７の取付け軸３５に、前記送出通路１４を横断可能な長さを備えた連結リンク４１の一端側の連結筒部４１Ａを相対回転自在に外嵌保持するとともに、前記連結リンク４１の他端側の取付け筒部４１Ｂには、前記固定ガイド部４０の移動案内面４０ａにおける突出先端４０ｂよりも回転移送経路側に偏倚した部位において、前記上部ケース２６の上壁部２６Ａに形成された長孔４２及び固定ガイド部４０に形成されたスリット状の切欠き４３を通して送出通路１４に対して通路幅方向から出入可能なピン状の通過阻止体４４が嵌合固定されている。
【００４０】
そして、前記通過阻止体４４は、前記円板状体１と接触可能な前記感知アーム２７のカウンターローラ３０に対して前記送出通路１４を挟んで対向する部位において、前記感知アーム２７の通過感知作動に連動して先行の円板状体１の直径部（最大外径部）が通過した時点で前記送出通路１４内に突出移動することにより、前記第２送出突起１７とで後続の円板状体１の通過を接当阻止する通過阻止状態に切り替え作動され、且つ、前記感知アーム２７の通過感知位置から待機位置への戻り作動に連動して、前記送出通路１４外の長孔４２及び切欠き４３の奥側に引退移動することにより、円板状体１の通過を許容する通過許容状態に切り替え作動されるように構成されている。
【００４１】
前記通過阻止体４４が通過阻止状態にあるとき、該通過阻止体４４と前記第２送出突起１７との対向間隔が円板状体１の直径よりも少し小なる間隔に構成され、前記通過阻止体４４が通過許容状態にあるとき、該通過阻止体４４と前記第２送出突起１７との対向間隔が円板状体１の直径よりも大なる間隔に構成されている。
【００４２】
そのため、前記円板状体１の払い出し時において、前記通過センサＣの感知アーム２７のカウンターローラ３０が何等かの不正手段で通過感知位置に強制的に揺動操作（変位操作）されたとき、この感知アーム２７の通過感知作動に連動して前記通過阻止手段Ｄの通過阻止体４４が送出口部Ａの送出通路１４において後続の円板状体１の通過を接当阻止する通過阻止状態に切り替えられるから、正規な先行の円板状体１はそのまま送り出しながらも後続の円板状体１の送り出しは前記通過阻止体４４と第２送出突起１７とで接当阻止することができる。
【００４３】
しかも、前記回転移送体８の回転移送経路における設定送出部位から送出通路１４の設定阻止位置に到達するまでの時間を、前記通過阻止体４４の通過阻止状態への切り替え作動時間として利用できるので、不正手段による感知アーム２７の操作時期に拘わらず後続の円板状体１の通過をより確実に接当阻止することができる。
【００４４】
さらに、前記通過阻止手段Ｄの通過阻止体４４を、前記固定ガイド部４０の移動案内面４０ａの突出先端４０ｂよりも回転移送経路側に偏倚した部位において送出通路１４に対して通路幅方向から出入りすることにより、この通過阻止体４４を、先行の円板状体１の直径部が通過した最も早い時点で送出通路１４内に突出移動させることができるから、不正行為によって連続して送出されてくる後続の円板状体１を確実に接当阻止することができる。
【００４５】
また、前記上部ケース２６の回転方向下手側の側壁部２６Ｃに凹部２６Ｄを形成し、この凹部２６Ｄの底面と前記基台２の第２凹部９の内面との対向面間に、該第２凹部９の内面とユニットケースＦとの対向面間に存在する隙間に起因するガタツキを防止すべく、ユニットケースＦを第２凹部９内の回転方向上手側に移動付勢する弾性付勢手段のコイルバネ４５が設けられている。
【００４６】
そして、前記固定ガイド部４０の移動案内面４０ａにおける送出通路１４側での突出先端４０ｂと前記感知アーム２７のカウンターローラ３０との間を円板状体１が通過する際、カウンターローラ３０の瞬間的なこじれ発生によって前記ユニットケースＦに回転方向下手側への押圧力が作用しても、この押圧力を前記コイルスプリング４５で緩和又は吸収することができる。
【００４７】
次に、前記回転阻止手段Ｅを構成するに、前記感知アーム２７の枢支筒部２７Ａに、前記上部ケース２６に形成された横開口部を通して前記仕切り部２０の移動経路内に突出移動して、該仕切り部２０との係合によって回転移送体８の駆動回転を強制停止する係止突起４６を一体形成するとともに、当該係止突起４６の当接面４６ａを、前記仕切り部２０の回転方向下手（回転前位）側の端面２０ｂと同様に、回転半径方向外方側ほど回転方向上手側部位（回転後位）に位置する傾斜面又は弧状面に形成されている。
【００４８】
正常な円板状体１の送出動作時には、前記感知アーム２７の通過感知位置への揺動によって前記係止突起４６が仕切り部２０の回転移動経路に突出するが、感知アーム２７が瞬間的に復帰作動するため、係止突起４６も瞬間的に復帰作動し、係止突起４６と仕切り部２０とが係合することはない。
【００４９】
そして、円板状体１の払い出し時において、前記通過センサＣの感知アーム２７が何等かの不正手段で通過感知位置に強制的に揺動操作（変位操作）されたとき、この感知アーム２７の通過感知作動に連動して前記通過阻止手段Ｄが送出口部Ａの送出通路１４において後続の円板状体１の通過を接当阻止する通過阻止状態に切り替えると同時に、前記回転阻止手段Ｅの係止突起４６が仕切り部２０の回転移動経路に設定時間以上突出し、仕切り部２０との係合によって回転移送体８の回転をも阻止するから、前記通過阻止手段Ｄによって不正行為による円板状体１の払い出し阻止機能の確実化を図りながらも、回転阻止手段Ｅによって回転移送体８の回転を停止することにより、回転移送体８の駆動回転によって送り出される円板状体１による通過阻止手段Ｄでの負荷増大を抑制することができる。
【００５０】
また、前記係止突起４６の当接面４６ａと前記仕切り部２０の回転方向下手側の端面２０ｂとが、回転半径方向外方側ほど回転方向上手側部位（回転後位）に位置する傾斜面又は弧状面に形成されているため、前記回転移送体８の駆動回転力が不正行為の操作力よりも大きい場合には、前記傾斜面又は弧状面によって通過感知位置に揺動操作（変位操作）されていた感知アーム２７を待機位置に強制的に押し戻すことができる。
【００５１】
前記連結リンク４１の他端側の取付け筒部４１Ｂには、図８に示すように、前記感知アーム２７が通過感知位置から待機位置へ戻り作動したとき、前記下部ケース２５の側壁部に設けられた弾性材料製のストッパ受け４７に当接するストッパ４８が突設されている。
【００５２】
〔その他の実施形態〕
（１）上述の第１実施形態では、前記円板状体１が入り込み可能な複数個の貫通孔７を形成した回転移送体８を例に挙げて説明したが、前記貫通孔７の代わりに回転方向外方に開口する切欠き部を形成してある回転移送体８を用いて実施してもよい。
【００５３】
（２）上述の第１実施形態では、前記回転移送体８の裏面における外周側で、且つ前記貫通孔７の隣接間相当箇所の各々に、前記装着凹部６の６Ｂに形成された環状溝１９内に沿って入り込み状態で移動する仕切り部２０を設けたが、この仕切り部２０と装着凹部６の内周壁面６Ｃとの摺接によって回転移送体８の振れが小さくなり、前記回転移送体８の第３送出突起１８の裏面（下面）と装着凹部６の回転半径方向外側方の移送ガイド面６Ｂとの対向面に円板状体１が回転方向上手（回転後位）側に通過可能な隙間が発生し難くなっている場合には、前記仕切り部２０を前記貫通孔７の隣接間相当箇所の一部にだけ設けて実施してもよい。
【００５４】
（３）上述の第１実施形態では、前記前記回転阻止手段Ｅを、前記感知アーム２７の枢支筒部２７Ａに一体形成した係止突起４６と、前記回転移送体８の裏面に突出形成された仕切り部２０とから構成して、前記係止突起４６が突出位置に設定時間以上保持されたとき、回転移送体８の仕切り部２０に係合して、回転移送体８の回転継続による後続の円板状体１の繰り出しを阻止するように構成したが、前記感知アーム２７のカウンターローラ３０が通過感知位置に設定時間以上に保持されていることの検出信号に基づいて回転移送体８の電動モータ３を駆動停止するように構成してもよい。
【００５５】
（４）上述の第１実施形態では、前記通過阻止体４４を、前記固定ガイド部４０の移動案内面４０ａにおける突出先端４０ｂよりも回転移送経路側に偏倚した部位において、前記送出通路１４に対して通路幅方向から出入り可能に構成したが、この通過阻止体４４を、前記固定ガイド部４０の移動案内面４０ａにおける突出先端４０ｂ又はその近傍位置において、前記送出通路１４に対して通路幅方向から出入り可能に構成してもよい。
【００５６】
（５）上述の第１実施形態では、前記通過阻止体４４を、前記感知アーム２７のカウンターローラ３０に対して前記送出通路１４を挟んで対向する部位において、前記感知アーム２７の通過感知作動に連動して先行の円板状体１の直径部（最大外径部）が通過した時点で前記送出通路１４内に突出移動させることにより、前記第２送出突起１７とで後続の円板状体１の通過を接当阻止するように構成したが、前記通過阻止体４４を、前記固定ガイド部４０の移動案内面４０ａに対して前記送出通路１４を挟んで対向する部位において、前記感知アーム２７の通過感知作動に連動して先行の円板状体１の直径部（最大外径部）が通過した時点で前記送出通路１４内に突出移動させることにより、前記固定ガイド部４０の移動案内面４０ａとで後続の円板状体１の通過を接当阻止するように構成してもよい。
【図面の簡単な説明】
【００５７】
【図１】本発明の円板状体繰出装置の第１実施形態を示す全体の斜視図
【図２】円板状体繰出部の分解斜視図
【図３】円板状体繰出部の断面図
【図４】円板状体繰出部の一部切欠き平面図
【図５】円板状体の払い出し初期の要部の一部切欠き平面図
【図６】円板状体の払い出し途中の要部の一部切欠き平面図
【図７】回転移送体の裏面側の斜視図
【図８】感知アームの待機時と通過感知時のユニットケースの平面図
【符号の説明】
【００５８】
Ａ        送出口部
Ｂ        送出手段
Ｃ        通過センサ
Ｄ        通過阻止手段
Ｅ        回転阻止手段
Ｆ        ユニットケース
１        円板状体
２        基台
８        回転移送体
２７      感知アーム（通過感知体）
３０      カウンターローラ（接触部）
４０      固定ガイド部
４０ａ    移動案内面
４０ｂ    突出先端
４４      通過阻止体
【図１】
2010020475.tif 000003
【図２】
2010020475.tif 000004
【図３】
2010020475.tif 000005
【図４】
2010020475.tif 000006
【図５】
2010020475.tif 000007
【図６】
2010020475.tif 000008
【図７】
2010020475.tif 000009
【図８】
2010020475.tif 000010